(57)【要約】【課題】煩雑な手間等を要することなく、ＥＰＧ情報が得られないような、より遠い未来に放映されるであろう番組を確実に予約録画する。【解決手段】時及び分の情報を含まない予約録画の期間と、予約録画対象となる番組の内容を示す語句情報とを指定するキー操作入力部82と、指定した予約録画の期間と語句情報を記憶する粗予約記憶部303と、番組表の番組情報を取得するＥＰＧ情報処理部301と、粗予約記憶部303で記憶する予約録画の期間に応じ、語句情報によりＥＰＧ情報を検索して予約番組のリストを生成する予約番組リスト生成部302とを有する。【選択図】      図１
2007306132.tif 000002
【特許請求の範囲】
【請求項１】
時及び分の情報を含まずに予約録画の期間を指定する第１の指定手段と、
この第１の指定手段での期間指定と併せて予約録画対象となる番組の内容を示す語句情報を指定する第２の指定手段と、
上記第１及び第２の指定手段で指定した予約録画の期間と語句情報を記憶する粗予約記憶手段と、
番組表の番組情報を取得する番組情報取得手段と、
上記粗予約記憶手段で記憶する予約録画の期間に応じ、上記語句情報により上記取得した番組情報を検索する検索手段と
を有したことを特徴とする録画機能付受信装置。
【請求項２】
カレンダーを表示するカレンダー表示手段をさらに有し、
上記第１の指定手段は、上記カレンダー表示手段で表示されたカレンダーから予約録画の期間を範囲指定する
ことを特徴とする請求項１記載の録画機能付受信装置。
【請求項３】
上記第１の指定手段は、予約録画の開始時期及び終了時期を指定することを特徴とする請求項１記載の録画機能付受信装置。
【請求項４】
既定語と予約の日時及びチャンネル情報とを対応付けて記憶する既定語記憶手段をさらに有し、
上記第２の指定手段は、上記既定語記憶手段に記憶された既定語を指定し、
上記検索手段は、第２の指定手段で指定された既定語により上記既定語記憶手段から対応する日時及びチャンネル情報を読出す
ことを特徴とする請求項１記載の録画機能付受信装置。
【請求項５】
装置外部から期間と語句情報を受信して保持する保持手段をさらに有し、
上記第１及び第２の指定手段は、上記保持手段が保持する期間及び語句情報の中から選択する
ことを特徴とする請求項１記載の録画機能付受信装置。
【請求項６】
上記検索手段での検索結果に基づき、上記語句情報を含む番組情報をリスト表示する検索結果表示手段をさらに有することを特徴とする請求項１記載の録画機能付受信装置。
【請求項７】
上記粗予約記憶手段で記憶される予約録画の期間と語句情報とをカレンダー上に表示するカレンダー表示手段をさらに有することを特徴とする請求項１記載の録画機能付受信装置。
【請求項８】
上記粗記憶手段で記憶される予約録画の期間の開始タイミングに応じて、期間及び語句情報の内容を確認表示する確認表示手段をさらに有することを特徴とする請求項１記載の録画機能付受信装置。
【請求項９】
上記検索手段での検索結果に基づき、上記語句情報を含む番組情報の録画予約を行なう予約録画手段をさらに有したことを特徴とする請求項１記載の録画機能付受信装置。
【請求項１０】
上記検索手段での検索結果に基づき、上記既定語記憶手段より読出した日時及びチャンネル情報による録画予約を行なう予約録画手段をさらに有したことを特徴とする請求項４記載の録画機能付受信装置。
【請求項１１】
上記保持手段は、装置外部から期間と語句情報に対応する番組情報を併せて受信して保持し、
上記検索手段は、上記第１及び第２の指定手段で選択された期間及び語句情報に対応する番組情報を検索する
ことを特徴とする請求項５記載の録画機能付受信装置。
【請求項１２】
受信部と、番組表の番組情報を取得して処理する番組情報処理部と、受信した放送番組を記録する録画部と、制御部とを有した受信装置の受信制御方法において、
上記制御部は、
時及び分の情報を含まない予約録画の期間と、予約録画対象となる番組の内容を示す語句情報の指定を受付け、
受付けた予約録画の期間と語句情報とを記憶し、
記憶した予約録画の期間に応じ、上記語句情報により上記取得した番組情報を検索する
ことを特徴とする受信装置の録画予約方法。
【発明の詳細な説明】
【技術分野】
【０００１】
この発明は、録画機能付受信装置及び受信装置の録画予約方法に関するものであり、ＥＰＧ情報が得られないような、より長い期間に渡って受信番組を確実に録画に認識することができる装置及び方法である。
【背景技術】
【０００２】
近年、ハードディスクドライブ（ＨＤＤ）、ＤＶＤ（デジタルバーサタイルディスク）などの記録媒体に関して記録容量の向上が得られ、これらの記録媒体を用いた記録再生装置では、多くの番組を予約録画可能となっている。
【０００３】
一方、放送方式として、地上アナログ放送、地上デジタル放送、衛星アナログ放送、衛星デジタル放送など、各種の放送方式が実現化されている。
【０００４】
また、デジタル放送では、新聞や雑誌のテレビ番組表の代わりに、電子番組ガイド情報（ＤＥＰＧ：Ｄｙｎａｍｉｃ  Ｅｌｅｃｔｒｏｎｉｃ  Ｐｒｏｇｒａｍ  Ｇｕｉｄｅ）情報（以下「ＥＰＧ情報」と称する）が番組情報として放送されている。このＥＰＧ情報は、放送電波に重畳されるだけでなく、電話回線などのネットワークを介して取得可能となるように検討されている。
【０００５】
最近の記録再生装置では、ＥＰＧ情報に基づいた番組表の中からユーザが予め選択した番組を自動的に録画する、録画予約機能を有する。加えて、番組を直接選択するのではなく、ユーザが好みのジャンルやキーワード等を設定すれば、装置側で番組表の中から設定したジャンル、キーワードに対応する番組を検索し、自動的にユーザの好みの番組を録画する自動録画予約機能も考えられている。
【０００６】
この機能でユーザは、受信装置で受信されたＥＰＧが表示画面上に表示された状態で、録画予約の設定やジャンル、キーワードの設定等を行なうことができる。
【０００７】
しかしながら、上記設定したジャンルやキーワードを設定するためには、何らかの形状のキーボードの画面を表示させた上で１文字分ずつ文字指定を行なうような入力方法が必要であり、そのための操作がユーザにとっては非常に煩雑な手間となる。
【０００８】
このようなユーザの不便を解消する１つの方法として、装置にキーワードを入力するためのキーボード等の入力手段を設けなくとも、新たなキーワードによる番組選択条件の設定を可能とし、装置を安価に構成することを目的とし、ジャンル、キーワード、時間帯からなる番組選択条件を設定して自動録画設定を行なうようにした技術が提案されている（特許文献１）。
【特許文献１】特開２００３−３０９７８７号公報
【発明の開示】
【発明が解決しようとする課題】
【０００９】
しかしながら上記した特許文献に記載された技術も含めて、予約対象となるのは受信したＥＰＧ情報に基づく番組である。
【００１０】
通常、ＥＰＧ情報として与えられる番組情報は、例えば現在時点から１週間分、あるいは長くとも２週間分程度のものであり、上記自動録画予約機能もそれらのＥＰＧ情報に対応するものとして考えられている。
【００１１】
したがって、例えば数ヶ月先、あるいは次の年に放映が予定されているような、未だ放映時間等が全く未定の番組を予約するための方法は存在しない。
【００１２】
一方で、記録再生装置の記録媒体であるハードディスクドライブやＤＶＤなどは上述したように大幅に記録容量の向上が図られており、より多くの番組を録画したい、というユーザのニーズはこれからも増大し続けるものと思われる。
【００１３】
そこでこの発明においては、煩雑な手間等を要することなく、ＥＰＧ情報が得られないような、より遠い未来に放映されるであろう番組を確実に予約録画することが可能な録画機能付受信装置及び受信装置の録画予約方法を提供することを目的とする。
【課題を解決するための手段】
【００１４】
上記の目的を達成するためにこの発明の一面では、時及び分の情報を含まずに予約録画の期間を指定する第１の指定手段と、この第１の指定手段での期間指定と併せて予約録画対象となる番組の内容を示す語句情報を指定する第２の指定手段と、上記第１及び第２の指定手段で指定した予約録画の期間と語句情報を記憶する粗予約記憶手段と、番組表の番組情報を取得する番組情報取得手段と、上記粗予約記憶手段で記憶する予約録画の期間に応じ、上記語句情報により上記取得した番組情報を検索する検索手段とを有したことを特徴とする。
【発明の効果】
【００１５】
上記の手段によると、ＥＰＧ情報には含まれないような、実際の放送日時が不明である遠い未来の受信番組であっても、設定した期間に合わせて語句情報から番組情報を検索するようになるため、必要な期間と語句情報とを予め指定しておくだけで、確実に所望する番組を選択することができる。
【発明を実施するための最良の形態】
【００１６】
以下、図面を参照して本発明の実施の一形態について説明する。図１は放送システムの部分構成を示すものである。１１はＥＰＧを提供するＥＰＧサーバである。このＥＰＧサーバ１１と、インターネット及び公衆回線網を含むネットワーク２０を介して、情報記録再生装置１００が接続される。
【００１７】
情報記録再生装置１００において、アンテナ部９０からの高周波信号は、情報記録再生装置１００の受信部４００に導入される。受信部４００では、ユーザ操作、あるいは録画予約情報により選択されたチャンネルの番組が選局され、復調された後に例えば記録処理部５００に導かれる。また、記録処理部５００には、端子１０１を介して外部からの信号も直接入力することができる。上記前記番組は、出力部７００を介してモニタ３００１に入力されてもよい。
【００１８】
記録処理部５００は、記録メディア部１０００の記録媒体に番組の信号をエンコードした圧縮信号を記録することができる。再生処理部６００は、記録メディア部１０００の記録媒体に記録されている番組の圧縮信号を再生してデコードし、出力部７００を介してモニタ３００１に供給することができる。
【００１９】
さらに制御部となるマイクロコンピュータブロック３０として、ＥＰＧ情報処理部３０１、予約番組リスト生成部３０２、粗予約記憶部３０３、予約番組リスト記憶部３０４、録画予約処理部３０６が用意されている。
【００２０】
ＥＰＧ情報処理部３０１は、放送波に重畳され、上記受信部４００で復調されたＥＰＧ情報、及び上記ＥＰＧサーバ１１からネットワーク２０及びこの情報記録再生装置１００内のネットワークインターフェイス（Ｉ／Ｆ）３２０を介して受信したＥＰＧ情報によりＥＰＧを作成して保持する。
【００２１】
粗予約記憶部３０３は、キー操作入力部８２での操作により受付けた粗予約情報、具体的には時期情報と語句情報とを記憶する。
【００２２】
予約番組リスト生成部３０２は、キー操作入力部８２からのキー操作に基づき、粗予約記憶部３０３に記憶される粗予約情報に基づいてＥＰＧ情報処理部３０１から提供されるＥＰＧ情報を検索し、該当する番組を予約番組候補としてその表示リストを生成し、予約番組リスト記憶部３０４へ出力する。
【００２３】
予約番組リスト記憶部３０４は、予約番組リスト生成部３０２から与えられる予約番組リストを記憶するもので、この予約番組リスト記憶部３０４の記憶内容に基づいて録画予約処理部３０６が録画予約の実処理を実行する。
【００２４】
次いで図２により上記情報記録再生装置１００のより詳細なブロック構成を示す。なお、この情報記録再生装置１００では、記録媒体としてＤＶＤなどの光ディスクとハードディスクの双方を取り扱うことができる装置として示しているが、ハードディスクあるいはＤＶＤなどの光ディスクは例えば半導体メモリによる記録媒体などに置換されてもよい。図２において、各ブロックを大きく分けると、中央及び上部の左側には記録部の主なブロックを示し，同右側には再生部の主なブロックを示している。
【００２５】
図２の情報記録再生装置１００は、ディスクドライブ部１００２と、ハードディスクドライブ部１００４の２種類のディスクドライブ部を有する。
【００２６】
ディスクドライブ部１００２は、光ディスク１００１を回転駆動し、情報の読み書きを実行する。ディスクドライブ部１００２は、光ディスク１００１に対する回転制御系、レーザ駆動系、光学系などを有する。一方のハードディスクドライブ部１００４は、ハードディスクを駆動する。
【００２７】
データプロセッサ（Ｄ−ＰＲＯ）部１００３は、ディスクドライブ部１００２及びハードディスクドライブ部１００４に記録データを供給することができ、また、再生された信号を受け取ることができる。データプロセッサ部１００３は、記録または再生単位のデータを取り扱うもので、バッファ回路、変調・復調回路、エラー訂正部などを含む。
【００２８】
またこの情報記録再生装置１００は、録画側を構成するエンコーダ部５０と、再生側を構成するデコーダ部６０と、装置本体の動作を制御するマイクロコンピュータブロック３０とを主たる構成要素としている。エンコーダ部５０は、トランスポートストリーム処理部及び複数のエンコーダを含む。
【００２９】
エンコーダ部５０は、基本的には入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。
【００３０】
エンコーダ部５０からのエンコード出力は、バッファメモリ５２を含むフォーマッタ５１にて所定のＤＶＤのフォーマットに変換され、先のデータプロセッサ部１００３に供給される。
【００３１】
なおトランスポートストリームから抽出したパケットエレメンタリーストリームがエンコーダ部５０から直接ハードディスクドライブ部１００４のハードディスクに記録される場合もある。
【００３２】
エンコーダ部５０には、スイッチ５３を介して、ＡＶ入力部４１ａからの外部アナログビデオ信号と外部アナログオーディオ信号が入力することができる。またエンコーダ部５０には、地上波アナログチューナ４１ｂ、地上波デジタルチューナ４１ｃ、衛星ＢＳ／ＣＳチューナ４１ｄ，衛星アナログチューナ４１ｅからの受信信号が選択的に入力することができる。
【００３３】
また、エンコーダ部５０で複数のデコーダが活用される場合、地上波デジタルチューナ４１ｃで受信した番組がハードディスクドライブ部１００４で録画され、同時に、衛星ＢＳ／ＣＳチューナ４１ｄで受信した番組を視聴することも可能である。
【００３４】
なお、エンコーダ部５０は、圧縮されたデジタルビデオ信号やデジタルオーディオ信号が直接入力されるときは、圧縮デジタルビデオ信号やデジタルオーディオ信号を直接フォーマッタ５１に供給することもできる。またエンコーダ部５０は、アナログデジタル変換されたデジタルビデオ信号やオーディオ信号を、ビデオ（Ｖ）ミキシング部７１やオーディオセレクタ７６に直接供給することもできる。
【００３５】
エンコーダ部５０に含まれるＭＰＥＧビデオエンコーダでは、デジタルビデオ信号はＭＰＥＧ２またはＭＰＥＧ１規格に基づいた可変ビットレートで圧縮されたデジタルビデオ信号に変換される。
【００３６】
デジタルオーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００３７】
副映像信号がＡＶ入力部４１ａから入力された場合（例えば副映像信号の独立出力端子付ＤＶＤビデオプレーヤからの信号など）、あるいはこのようなデータ構成のＤＶＤビデオ信号が放送されてそれがＴＶチューナ部４１ｂ〜４１ｅのいずれかで受信された場合は、ＤＶＤビデオ信号中の副映像信号が副映像エンコーダでエンコード（ランレングス符号化）されて副映像のビットマップとなる。
【００３８】
エンコードされたデジタルビデオ信号、デジタルオーディオ信号、副映像データは、フォーマッタ５１にてパック化され、ビデオパック、オーディオパック、副映像パックとなり、さらにこれらが集合されて、ＤＶＤ-ビデオ規格で規定されたフォーマット（ＤＶＤ−Ｖｉｄｅｏフォーマット）や、ＤＶＤ-レコーディング規格で規定されたフォーマット（ＤＶＤ−ＶＲフォーマット）に変換される。フォーマッタ５１は、上記の変換処理のとき、バッファメモリ５２も利用する。
【００３９】
この情報記録再生装置１００では、フォーマッタ５１でフォーマット化された情報（ビデオ、オーディオ、副映像データなどのパック）及び作成された管理情報を、データプロセッサ部１００３を介してハードディスクドライブ部１００４あるいはデータディスクドライブ部１００２に供給し、ハードディスクあるいは光ディスク１００１に記録することができる。
【００４０】
またハードディスクあるいは光ディスク１００１に記録された情報を、データプロセッサ部１００３、ディスクドライブ部１００２を介して光ディスク１００１あるいはハードディスクに記録することもできる。
【００４１】
さらにハードディスクあるいは光ディスク１００１に記録されている複数番組のビデオオブジェクトを、一部削除する、異なる番組のオブジェクトとつなげる、といった編集処理を行なうこともできる。
【００４２】
マイクロコンピュータブロック３０は、ＭＰＵ（マイクロプロセッシングユニット）、またはＣＰＵ（セントラルプロセッシングユニット）と、制御プログラム等が書きこまれたＲＯＭと、プログラム実行に必要なワークエリアを提供するためのＲＡＭとを含んでいる。
【００４３】
マイクロコンピュータブロック３０は、ネットワークインターフェース３２０を介して、外部ネットワークに接続することが可能である。これにより、外部の上述したＥＰＧサーバ１１から番組情報としてのＥＰＧ情報を取り込むことが可能となる。
【００４４】
さらにマイクロコンピュータブロック３０のＭＰＵは、ＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。
【００４５】
またマイクロコンピュータブロック３０は、装置の各ブロックを統括して制御するために必要な情報処理部を有するもので、ワークＲＡＭ、ディレクトリ検出部、ＶＭＧ（全体のビデオ管理情報）情報作成部、パケットヘッダ処理部、シーケンスヘッダ処理部などを備える。またマイクロコンピュータブロック３０は、録画を実行する際の管理情報の制御部と、編集を実行する際の管理情報の制御部をも備える。
【００４６】
さらに、マイクロコンピュータブロック３０には、先に説明したように、ＥＰＧ情報処理部３０１、予約番組リスト生成部３０２、粗予約記憶部３０３を有する。またこのような操作が行われるときのグラフィックユーザインターフェースとして、表示制御部３１４を有する。また、録画予約情報に基づいて、チューナなどを制御する受信制御部３１１、番組を録画するために記録制御部３１２、記録番組を再生するために再生制御部３１３を有する。
【００４７】
さらに、後述する粗予約処理を行なうものとして、粗予約データベース３２１、番組データベース３２２、既定語テーブル３２３を有する。  
粗予約データベース３２１は、粗予約設定のための各種画像フォーマットと、粗予約情報のデータフォーマットとを記憶する。
【００４８】
番組データベース３２２は、予約番組リスト生成部３０２で生成する予約番組リストを構成する個々の番組情報のデータフォーマットを記憶する。
【００４９】
既定語テーブル３２３は、既定語とその既定語に対応する日時及びチャンネル等の情報を固定的に記憶する。
【００５０】
マイクロコンピュータブロック３０を構成するＭＰＵでの実行結果のうち、ユーザに通知すべき内容は、この情報記録再生装置１００の表示部８１に表示されるか、またはモニタ３００１にＯＳＤ（オンスクリーンディスプレイ）表示される。
【００５１】
またマイクロコンピュータブロック３０は、この装置を操作するための操作信号を与えるキー操作入力部８２を有する。このキー操作入力部８２は、例えば情報記録再生装置１００の本体上に設けた操作スイッチ類や、あるいはリモートコントローラなどに相当する。また、記録再生装置と有線通信あるいは無線通信あるいは光通信や赤外線通信などの手段を用いて接続されたパーソナルコンピューターであってもよい。いずれの形態であるにせよ、ユーザがこのキー操作入力部８２を操作することにより、入力された映像音声信号の録画処理や、録画されたコンテンツの再生処理、あるいは録画されたコンテンツに対する編集処理などを施すことができる。
【００５２】
なお、マイクロコンピュータブロック３０が、ディスクドライブ部１００２、ハードディスクドライブ部１００４、データプロセッサ部１００３、エンコーダ部５０及び／またはデコーダ部６０などを制御するタイミングは、ＳＴＣ（システムタイムクロック）３１からの時間データに基づいて実行することができる。録画や再生の動作は、通常はＳＴＣ３１からのタイムクロックに同期して実行されるが、それ以外の処理はＳＴＣ３１とは独立したタイミングで実行されてもよい。
【００５３】
デコーダ部６０は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。
【００５４】
またデコードされた主映像にデコードされた副映像を適宜合成し、主映像にメニュー、ハイライトボタン、字幕やその他の副映像を重ねて出力するビデオプロセッサを備えている。
【００５５】
デコーダ部６０の出力ビデオ信号は、ビデオミキシング部７１に入力される。ビデオミキシング部７１では、例えばテキストデータの合成が行われる。またビデオミキシング部７１には、各ＴＶチューナ４１ｂ〜４１ｅやＡＶ入力部４１aからの信号を直接取り込むラインもまた接続されている。
【００５６】
ビデオミキシング部７１には、バッファとして用いるフレームメモリ７２が接続されている。ビデオミキシング部７１の出力がアナログ出力の場合はＩ／Ｆ（インタフェース）７３を介して外部出力され、デジタル出力の場合はデジタルアナログ変換器７４を介して外部へ出力される。
【００５７】
デコーダ部６０の出力オーディオ信号は、オーディオセレクタ７６を介してデジタル／アナログ（Ｄ／Ａ）変換器７７でアナログ変換され外部に出力される。セレクタ７６は、マイクロコンピュータブロック３０からのセレクト信号により制御される。これによりセレクタ７６は、各ＴＶチューナ４１ｂ〜４１ｅやＡＶ入力部４１aからのデジタル信号を直接モニタする時、エンコーダ部５０をスルーした信号を直接選択することも可能である。
【００５８】
なお、エンコーダ部５０のフォーマッタでは、録画中、各切り分け情報を作成し、定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのＩピクチャのエンドアドレス、ＶＯＢＵの再生時間などである。
【００５９】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行なわれる。
【００６０】
また本装置では、データをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行なっている。
【００６１】
データプロセッサ部１００３は、エンコーダ部５０のフォーマッタからＶＯＢＵ単位のデータを受け取り、ＣＤＡ単位のデータをディスクドライブ部１００２あるいはハードディスクドライブ部１００４に供給している。
【００６２】
またマイクロコンピュータブロック３０のＭＰＵは、記録したデータを再生するのに必要な管理情報を作成し、データ記録終了のコマンドを認識すると、作成した管理情報をデータプロセッサ部１００３に送る。これにより、管理情報がディスクに記録される。従って、エンコードが行なわれているとき、エンコーダ部５０からマイクロコンピュータブロック３０のＭＰＵは、データ単位の情報（切り分け情報など）を受け取る。
【００６３】
また、マイクロコンピュータブロック３０のＭＰＵは、記録開始時には光ディスク１００１及びハードディスクから読み取った管理情報（ファイルシステム）を認識し、各ディスクの未記録エリアを認識し、データ上の記録エリアをデータプロセッサ部１００３から当該ディスクに設定している。
【００６４】
なお、後述する粗予約を行なうに際して、その内容を指定するための情報をキー操作入力部８２で入力するものとしてもよいし、一方で、ＥＰＧサーバ１１から与えられる複数の粗予約情報を粗予約データベース３２１に記憶しておき、その中から任意のものをキー操作入力部８２での操作により選択するものとしてもよい。
【００６５】
次いで上記実施の形態の動作について説明する。  
図８は、例えばキー操作入力部８２を構成するリモートコントローラの「番組ナビ」キーを操作してさらにメニュー項目中の「粗予約設定」を選択した場合にモニタ３００１でＯＳＤ表示される内容を例示する。図３を含む以下の各画面は粗予約データベース３２１に記憶された画像フォーマットデータにしたがって表示制御部３１４が生成し、出力部７００を介してモニタ３００１で表示される。
【００６６】
図８の表示画面では、まず予約の開始時期を選択するものとして「年」「月」と月中の「旬」または「日」を選択することができる。
【００６７】
「年」情報は、例えば「２００６年（今年）」「２００７年」‥‥「２０１１年」のように本年以降の年単位で選択を行なうことができる一方で、「毎年」を選択することで繰返し粗予約を行なう場合についても対処できるものとする。
【００６８】
「月」情報は、「１月」〜「１２月」の様に月単位で選択を行なうことができる一方で、「月指定なし」を選択することで月情報の選択をあえて行なわない場合についても対処できるものとする。
【００６９】
「旬」情報は、「上旬（１日〜１０日）」「中旬（１１日〜２０日）」「下旬（２１日〜末日）」の様に月中の旬単位で選択を行なうことができる一方で、「月指定なし」を選択することで月情報の選択をあえて行なわない場合についても対処できるものとする。
【００７０】
また、上記「旬」情報に代えて、「指定日」を選択することで、当月中の「日」情報も選択可能であるものとする。その場合、「指定日」を選択した時点で「１日」〜「３１（２９，３０）日」までの日付が例えばカレンダー（七曜表）の形態で表示され、それらのいずれかを選択することができるものとする。
【００７１】
図１２は、そのようなカレンダーからの予約設定状態を例示するものである。同図では、クイックメニューウィンドウＱＭ１が表示され、そのうちの「粗予約設定」の項目が選択されている状態で、「２００６年１０月」のカレンダー上の「７日」を選択指定していることを示す。
【００７２】
また、図１３は、上記図８の画面に代わる、「年」「月」及び「旬」の選択指定画面を例示するものである。同図では、「２００６年」及び「２００７年」の各月及び上旬、中旬、下旬を一覧表示している。このうち、「２００６年」の「１月上旬」乃至「２月上旬」に至る範囲を、図中では破線による枠線で示す如く、過去であるので選択できないものとして区分表示する一方で、「２００６年」の「７月中旬」が予約開始時期として仮に指定されている状態を示す。
【００７３】
上記図８の画面の説明に戻って、上記開始時期の選択を終えた時点で画面右下端部の「登録」を選択することで、開始時期の選択を終えることができる。
【００７４】
粗予約を行なう終了時期についても、上記開始時期と同様の処理によりユーザが任意に選択して指定することができる。
【００７５】
その後の「内容」指定に際しては、例えばモニタ３００１の画面にキーボードと文字入力領域とを表示させた上で適宜文字種の選択や必要に応じてかな漢字変換等を行なうことで、任意の文字列による語句情報を入力可能であるものとする。
【００７６】
図９は、開始時期、終了時期及び録画内容を指定し終えた状態での確認画面を例示するものである。ここでは、開始時期「２００６年（今年）６月上旬」から終了時期「２００７年１２月」の期間中に録画内容「ワールドカップ」なる語句情報に対応する番組を粗予約した場合について示している。
【００７７】
このように、番組が受信されると思われる期間を含むように、より広い期間の指定を行なうことで、実際の放映時期が多少ずれたとしても所望する番組を確実に予約録画することができるようになる。
【００７８】
図９に示す如く、上記開始時期、終了時期、及び録画内容のいずれも「変更」設定を行なうことが可能であると共に、それらの内容を「キャンセル」するか、あるいは「登録」するかを指示することができる。
【００７９】
こうして粗予約情報の登録が指示されると、粗予約データベース３２１に記憶されるデータフォーマットにしたがった形態で粗予約情報が生成され、粗予約記憶部３０３に記憶される。
【００８０】
図５は、粗予約データベース３２１に画像フォーマットデータと共に記憶される、粗予約情報のデータフォーマットを例示するもので、例えば粗予約情報の項目としては「粗予約ＩＤ」「開始年」「開始月」「開始日」「繰返し年」「繰返し月」「終了年」「終了月」「終了日」「内容」及び「サーバーフラグ」の各項目からなる。各項目の内容及び例については図示する通りである。
【００８１】
また、既定語テーブル３２３には、粗予約情報を構成する語句情報としての「既定語」に対し、その番組受信の日時及びチャンネルを示す情報が固定的に記憶される。
【００８２】
図７は、その記憶内容を例示するものであり、例えば「月９ドラマ」なる既定語に対して、曜日「月曜日」、時間「２１：００〜２２：００」、及びチャンネル「８」が記憶されているものとする。
【００８３】
同様に、図示する「Ｎ○Ｋ大河ドラマ」やその他「紅白」「○曜ロードショー」等の既定語とそれに対応する曜日や日時、チャンネル等の情報が既定語情報として記憶されているものとする。
【００８４】
図１０は、上記のようにして指定された粗予約情報の一覧画面を例示するものである。同図では、語句情報「ワールドカップ」「月９ドラマ」「Ｎ○Ｋ大河ドラマ」に対応する３つの粗予約情報が設定されている状態を示す。
【００８５】
このうち、「任意」の語句入力により設定された「ワールドカップ」が選択され、その内容が変更可能となっている表示状態を例示するもので、その他の「月９ドラマ」「Ｎ○Ｋ大河ドラマ」に関しては、上記既定語テーブル３２３に記憶されている「既定」語情報を選択することで設定されたものであるので、日時やチャンネル等を変更設定することができない。
【００８６】
また、図１１は、上記図１０の画面に代わって表示される粗予約情報の一覧画面を例示するものである。同図では、語句情報「ワールドカップ」「Ｆ１」「紅白」に対応する３つの粗予約情報が設定されている状態を示す。
【００８７】
このうち、「ワールドカップ」が「２００６年６月上旬〜２００７年１２月」という長い期間ではあるが１つの期間を指定しているのに対して、「Ｆ１」及び「紅白」はそれぞれ期間の内容に差はあるものの、毎年繰返し指定するものとして設定されている。
【００８８】
上記のような粗予約情報の設定を行なった場合、上記図５で示した、粗予約データベース３２１に記憶されるデータフォーマットにしたがった形態の粗予約情報が粗予約記憶部３０３に記憶される。
【００８９】
以後、この情報記録再生装置１００では、電源投入時毎にマイクロコンピュータブロック３０内の粗予約記憶部３０３に記憶される各粗予約情報中の開始年月日の各情報をその電源投入時の年月日情報を用いて検索することで、開始時期が設定されている粗予約情報で該当する期間内に入ったものがあるか否かを判断する。
【００９０】
図１４は、該当する期間内に入った時点でモニタ３００１で表示される粗予約の確認画面を例示するものである。同図では、「２００６年６月上旬〜２００７年１２月」の期間に設定した語句情報「ワールドカップ」の粗予約に対して、該当する期間が近づいたことを示している。
【００９１】
この画面中の「確認」を指定することで、粗予約の対象となる実際の番組を検索するための処理に即時移行する。
【００９２】
図３は、その処理内容を示すもので、主にマイクロコンピュータブロック３０内の予約番組リスト生成部３０２が、粗予約記憶部３０３に記憶されている粗予約情報を基に、ＥＰＧ情報処理部３０１に記憶されているＥＰＧ情報を検索することで実行される。
【００９３】
その当初には、該当する粗予約情報のサーバーフラグがＹＥＳとなっているか否かにより、その粗予約情報がＥＰＧサーバ１１から取得したものであるか否かを判断する（ステップＳＡ０１）。
【００９４】
ここで、サーバーフラグがＹＥＳであった場合には、その粗予約情報はＥＰＧサーバ１１から取得したものの中から選択指定したものであるので、あらためてネットワーク２０を介してＥＰＧサーバ１１と接続し、当該粗予約情報に対応する録画対象番組の情報を取得し（ステップＳＡ０６）、以上でこの図３の処理を終えて、取得した番組情報に基づく予定番組リストの作成に移行する。
【００９５】
また、上記ステップＳＡ０１でサーバーフラグがＹＥＳではなくＮＯであると判断した場合には、次いでＥＰＧ情報処理部３０１に蓄積されている多数の番組情報の中から１つを選択して取得する（ステップＳＡ０２）。
【００９６】
その番組情報中のタイトル名及び詳細内容の少なくとも一方に粗予約情報中の語句情報が含まれているか否かを判断する（ステップＳＡ０３）。
【００９７】
図６は、上記番組データベース３２２にも記憶されている、ＥＰＧ情報を構成する個々の番組情報のデータフォーマットを示すものであり、番組情報は「番組ＩＤ」「チャンネル（ＣＨ）ＩＤ」「開始日時」「終了日時」「タイトル名」「ジャンル」及び「詳細内容」の各項目から構成されているものとする。各項目の具体的な内容と例については図６に示す通りである。
【００９８】
ここで番組情報中のタイトル名及び詳細内容の少なくとも一方に粗予約情報中の語句情報が含まれていると判断した場合のみ、その番組情報を録画予定リストに追加するべく設定する（ステップＳＡ０４）。
【００９９】
次いで、その番組情報がＥＰＧ情報処理部３０１で取得した最後の番組情報ではないことを確認した上で（ステップＳＡ０５）、再び上記ステップＳＡ０２からの処理に戻る。
【０１００】
こうして、ＥＰＧ情報処理部３０１に記憶されるすべての番組情報に対してステップＳＡ０２〜ＳＡ０５の処理を繰返し実行し、指定した語句情報をタイトル名及び詳細内容の少なくとも一方に含む番組情報のみを順次リストアップしていく。
【０１０１】
しかして、ステップＳＡ０５ですべての番組情報の検索を終了し、その番組情報が最後の番組情報であると判断すると、以上でこの図３の検索処理を終了すると共に、得た番組情報のリストをモニタ３００１で表示させた上で、実際に予約を行なう番組の選択処理に移行する。
【０１０２】
こうしてユーザに選択された番組情報のみが予約番組リスト記憶部３０４に記憶され、録画予約処理部３０６により録画予約の処理が実行される。
【０１０３】
このように本実施の形態によれば、本来はＥＰＧ情報には含まれないような、実際の放送日時が不明である遠い未来の受信番組であっても、設定した期間の開始タイミングに合わせて指定した語句情報から番組情報を検索するようになるため、必要な期間と語句情報とを予め指定しておくだけで、確実に所望する番組を選択することができる。
【０１０４】
なお、上記図３に示した検索処理は、ユーザが任意に指定した語句情報を含む粗予約情報に関する処理を示したものであるが、既定語テーブル３２３に記憶される既定語を語句情報として選択した場合には、上記図３の処理に代えて図４に示す処理を実行するものとする。
【０１０５】
以下、図４を用いて、粗予約した対象の他の検索処理について説明する。この図４においても、主にマイクロコンピュータブロック３０内の予約番組リスト生成部３０２が、粗予約記憶部３０３に記憶されている粗予約情報を基に、ＥＰＧ情報処理部３０１に記憶されているＥＰＧ情報を検索することで処理を実行する。
【０１０６】
その当初には、既定語テーブル３２３から該当する粗予約情報の語句情報に対応する曜日、時間、及びチャンネルの各情報を取得する（ステップＳＢ０１）。
【０１０７】
次いで、該当する粗予約情報のサーバーフラグがＹＥＳとなっているか否かにより、その粗予約情報がＥＰＧサーバ１１から取得したものであるか否かを判断する（ステップＳＢ０２）。
【０１０８】
ここで、サーバーフラグがＹＥＳであった場合には、その粗予約情報はＥＰＧサーバ１１から取得したものの中から選択指定したものであるので、あらためてネットワーク２０を介してＥＰＧサーバ１１と接続し、当該粗予約情報に対応する録画対象番組の情報を取得し（ステップＳＢ０７）、以上でこの図４の処理を終えて、取得した番組情報に基づく予定番組リストの作成に移行する。
【０１０９】
また、上記ステップＳＢ０２でサーバーフラグがＹＥＳではなくＮＯであると判断した場合には、次いでＥＰＧ情報処理部３０１に蓄積されている多数の番組情報の中から１つを選択して取得する（ステップＳＢ０３）。
【０１１０】
その取得した番組情報と上記ステップＳＢ０１で取得した曜日、時間、及びチャンネルの各情報とが一致するか否かを判断する（ステップＳＢ０４）。
【０１１１】
ここで、２つの番組情報の内容が一致すると判断した場合にのみ、その番組情報を録画予定リストに追加するべく設定する（ステップＳＢ０５）。
【０１１２】
次いで、その番組情報がＥＰＧ情報処理部３０１で取得した最後の番組情報ではないことを確認した上で（ステップＳＢ０６）、再び上記ステップＳＢ０３からの処理に戻る。
【０１１３】
こうして、ＥＰＧ情報処理部３０１に記憶されるすべての番組情報に対してステップＳＢ０３〜ＳＢ０６の処理を繰返し実行し、既定語に対応する内容と一致する内容を有する番組情報のみをリストアップしていく。
【０１１４】
しかして、ステップＳＢ０６ですべての番組情報の検索を終了し、その番組情報が最後の番組情報であると判断すると、以上でこの図４の検索処理を終了すると共に、得た番組情報のリストをモニタ３００１で表示させた上で、実際に予約を行なう番組の選択処理に移行する。
【０１１５】
こうしてユーザに選択された既定語に対応する番組情報のみが予約番組リスト記憶部３０４に記憶され、録画予約処理部３０６により録画予約の処理が実行される。
【０１１６】
このような検索処理を実行することにより、単にユーザが任意に入力した語句情報だけではなく、世間一般で番組を指すのに使用されている各種の既定語を用いることでも粗予約を実行できるようになる。
【０１１７】
そのため、より多様な観点からユーザの好みに合致した番組を早いタイミングで粗予約することができる。
【０１１８】
なお、上記図１４に示したような確認画面を表示するにあたっては、上述した如く設定した開始時期になったか否かにより判断するのではなく、当該開始時期から一定期間前、例えば１週間前あるいは１ヶ月前となったか否かにより判断するものとしてもよい。
【０１１９】
加えて、上記図１４に示した確認画面を表示するタイミングは、電源投入時に限るものではなく、電源の投入／切断の状態に関係なく実施するものとしてもよい。
【０１２０】
なお、粗予約の時期を設定するにあたっては、上記図１２、図１３に示した如くカレンダー表示を行なうことで、ユーザがより視覚的に判断しやすい状態で時期指定を行なうことができる。
【０１２１】
また、上記実施の形態では、情報記録再生装置１００の外部であるＥＰＧサーバ１１からネットワーク２０を介して粗予約情報を受信し、情報記録再生装置１００のユーザがそれら受信した情報の中から選択することができるものとした。
【０１２２】
これにより、単にユーザが任意に入力した語句情報だけではなく、世間一般で番組を指すのに使用されている各種の語句を用いることでも粗予約を実行できるようになる。
【０１２３】
その場合、外部から受信した語句情報を選択した場合には、情報記録再生装置１００内部で検索処理を行なうのではなく、受信した情報に対応付けて設定されている情報に基づいて即時実際の番組予約を行なうものとすることで、情報記録再生装置１００側の処理の負担を軽減して迅速に実際の番組予約に移行できる。
【０１２４】
さらに、検索処理により得た内容をリスト表示することにより、ユーザがその内容を一括して確認することができ、必要な番組情報と不要な番組情報とをリスト上で比較した上で取捨選択し易くなる。
【０１２５】
なお、上記粗予約記憶部３０３に記憶される粗予約情報に関しては、指定した期間となる前であっても、メニュー画面等で指定した期間と語句情報とを随時カレンダー上に表示するような動作を実行することにより、粗予約した内容の確認を常にユーザに促すことができる。
【０１２６】
また、上記実施の形態では、指定した期間の開始タイミングに対応して粗予約情報に基づく検索処理を実行し、その検索結果の中からユーザが選択したもののみを実際の録画予約するものとして説明したが、記録媒体であるハードディスクドライブ部１００４やディスクドライブ部１００２の光ディスク１００１に余裕がある場合には、検索処理で得られた候補の番組情報すべてを自動的に選択して実際の録画予約に移行するものとしてもよく、ユーザの手間をより簡略化することができる。
【０１２７】
その他、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【０１２８】
【図１】本発明の実施の一形態に係るシステム全体の部分構成を示す図。
【図２】同実施の形態に係る情報記録再生装置内の詳細な構成を示すブロック図。
【図３】同実施の形態に係る粗予約対象番組の検索処理の内容を示すフローチャート。
【図４】同実施の形態に係る粗予約対象番組の検索処理の他の内容を示すフローチャート。
【図５】同実施の形態に係る粗予約データベースに記憶される粗予約情報のデータフォーマットを例示する図。
【図６】同実施の形態に係る番組データベースに記憶される番組情報のデータフォーマットを例示する図。
【図７】同実施の形態に係る既定語テーブルに記憶される既定語情報の内容を例示する図。
【図８】同実施の形態に係る動作時の画面表示例を示す図。
【図９】同実施の形態に係る動作時の画面表示例を示す図。
【図１０】同実施の形態に係る動作時の画面表示例を示す図。
【図１１】同実施の形態に係る動作時の画面表示例を示す図。
【図１２】同実施の形態に係る動作時の画面表示例を示す図。
【図１３】同実施の形態に係る動作時の画面表示例を示す図。
【図１４】同実施の形態に係る動作時の画面表示例を示す図。
【符号の説明】
【０１２９】
１１…ＥＰＧサーバ、２０…ネットワーク、３０…マイクロコンピュータブロック、８１…表示部、８２…キー操作入力部、９０…アンテナ部、１００…情報記録再生装置、３０１…ＥＰＧ情報処理部、３０２…予約番組リスト生成部、３０３…粗予約記憶部、３０４…予約番組リスト記憶部、３０６…録画予約処理部、３１４…表示制御部、３２０…ネットワークインターフェイス（Ｉ／Ｆ）、３２１…粗予約データベース、３２２…番組データベース、３２３…既定語テーブル、４００…受信部、５００…記録処理部、６００…再生処理部、７００…出力部、１０００…記録メディア部、３００１…モニタ。
【図１】
2007306132.tif 000003
【図２】
2007306132.tif 000004
【図３】
2007306132.tif 000005
【図４】
2007306132.tif 000006
【図５】
2007306132.tif 000007
【図６】
2007306132.tif 000008
【図７】
2007306132.tif 000009
【図８】
2007306132.tif 000010
【図９】
2007306132.tif 000011
【図１０】
2007306132.tif 000012
【図１１】
2007306132.tif 000013
【図１２】
2007306132.tif 000014
【図１３】
2007306132.tif 000015
【図１４】
2007306132.tif 000016